(57)【要約】  【課題】  洗浄液を飛散させることなく熱交換器のフィンの表面全域に行き渡らせて洗浄できる洗浄装置を備えた空気調和機を提供する。  【解決手段】  吸込口１と吹出口２とを結ぶ空気通路にフィン３ａおよび伝熱管３ｂからなる熱交換器３と、送風ファン４とを備え、前記熱交換器３の下方にドレンパン７を備えるとともに、前記熱交換器３の上方から洗浄液を流出する流出孔を有する洗浄液ダクト５を備え、同洗浄液ダクト５に、前記熱交換器３のフィン３ａに前記洗浄液を誘導する誘導部材６を備えてなる構成にした。【選択図】  図１
2010270959.tif 000002
【特許請求の範囲】
【請求項１】
吸込口と吹出口とを結ぶ空気通路にフィンおよび伝熱管からなる熱交換器と、送風ファンとを備え、前記熱交換器の下部にドレンパンを備えるとともに、前記熱交換器の上方から洗浄液を流出する流出孔を有する洗浄液ダクトを備え、同洗浄液ダクトに、前記熱交換器のフィンに前記洗浄液を誘導する誘導部材を備えてなることを特徴とする空気調和機。
【請求項２】
前記熱交換器のフィンは風上側の親水性を他の部分より高くしたことを特徴とする請求項１に記載の空気調和機。
【請求項３】
前記熱交換器のフィンは触媒を担持したことを特徴とする請求項１または請求項２に記載の空気調和機。
【発明の詳細な説明】
【技術分野】
【０００１】
本発明は、熱交換器の洗浄装置を備えた空気調和機に関する。
【背景技術】
【０００２】
従来の熱交換器の洗浄装置を備えた空気調和機として、図３に示すように、パイプａ、フィンｂ、管板ｃ等から構成されている熱交換器ｄの近傍であって熱交換器ｄに面する部位に複数の開口ｅを有し、洗浄性のある物質の投入口ｆを備える洗浄装置ｇを併設し、投入口ｆに、洗剤、洗浄水またはお湯、空気を順次投入して複数の開口ｅから噴出することにより、熱交換器ｄのフィンｂに汚れとして付着した埃を洗い流せるものが知られている（例えば、特許文献１）。
【０００３】
これにより、例えば発泡性のある洗剤、洗浄水またはお湯、空気の順番に投入口ｆに投入すれば、洗剤で汚れを落として、洗浄水またはお湯で洗い流し、更に噴出する空気で乾燥させることができるので、熱交換器ｄのフィンｂに汚れとして付着した埃を少ない労力で洗い流せるようになって、洗浄しにくい位置に配置された熱交換器ｄに対しても有効に洗浄できるようになっている。
【０００４】
しかしながら、洗浄装置ｇは熱交換器ｄのフィンｂを簡便に多頻度で洗浄できるものであるが、空気流れの下流側から上流側に開口ｅを向けて洗浄液を噴出しているため、開口ｅから上流側に向けて噴出した洗浄液が飛散して、熱交換器ｇ以外に、例えば送風ファンにも飛び散ってしまうという問題点を有していた。
【０００５】
そのため、冷暖房運転を一旦中断して熱交換器ｄのフィンｂの洗浄を行う必要があるが、その場合、快適な冷暖房運転を一旦中断することになり、ユーザに不快感を与えてしまうという問題点を有していた。
【０００６】
また、図示はしないが、熱交換器の上位部にフィンに直交するように配置された散水管と、この散水管に連続するようにフィンに一体加工した短円筒部を連続させることにより構成した散水管部とを有して、熱交換器の洗浄を行う際、機外ポンプにより加圧された洗浄液を散水管部を介して、熱交換器に散水するように構成したものが知られている（例えば、特許文献２）。
【０００７】
しかしながら、熱交換器を洗浄する必要が生じた場合の動作・作用には、空気調和機の運転を一旦中断して洗浄液を散水するかどうかの記載がなく、仮に、運転中にフィンに直交するように配置された散水管に連続する散水管部を介して散水する場合には、散水管部よりも風上側となるフィンの風上側のエッジ部を含む表面全域に洗浄液が行き渡りにくくなって、とくに、このエッジ部に汚れとして付着し堆積した埃を洗い流せなくなってしまう恐れがあった。
【先行技術文献】
【特許文献】
【０００８】
【特許文献１】特開２００７−１７８０９６号公報
【特許文献２】特開２００８−２００８８号公報
【発明の概要】
【発明が解決しようとする課題】
【０００９】
そこで、本発明は上述した課題を解決するためになされたものであって、その目的は、洗浄液を飛散させることなく熱交換器のフィンの表面全域に行き渡らせて洗浄できる洗浄装置を備えた空気調和機を提供することにある。
【課題を解決するための手段】
【００１０】
上述した目的を達成できるように構成するため、本発明は以下に示す特徴を備えている。
【００１１】
吸込口と吹出口とを結ぶ空気通路にフィンおよび伝熱管からなる熱交換器と、送風ファンとを備え、前記熱交換器の下方にドレンパンを備えるとともに、前記熱交換器の上方から洗浄液を流出する流出孔を有する洗浄液ダクトを備え、同洗浄液ダクトに、前記熱交換器のフィンに前記洗浄液を誘導する誘導部材を備えてなることを特徴としている。
【００１２】
また、前記熱交換器のフィンは風上側の親水性を他の部分より高くしたことを特徴としている。
【００１３】
また、前記熱交換器のフィンは触媒を担持したことを特徴としている。
【発明の効果】
【００１４】
本発明によれば、洗浄液を飛散させることなく熱交換器のフィン表面の全域に行き渡らせて洗浄できる洗浄装置を備えた空気調和機を提供できる。
【図面の簡単な説明】
【００１５】
【図１】本発明による熱交換器の洗浄装置を備えた空気調和機の説明図で、（Ａ）は断面図であり、（Ｂ）は要部拡大図である。
【図２】本発明による熱交換器の洗浄装置を備えた空気調和機の要部説明図で、（Ａ）は洗浄液ダクトを備えた熱交換器の斜視図であり、（Ｂ）は洗浄液ダクトの内部構造を示す図である。
【図３】従来例による洗浄液装置付き熱交換器の説明図である。
【発明を実施するための形態】
【００１６】
以下、本発明を実施するための形態を、添付図面に基づいた実施例として詳細に説明する。
【００１７】
本発明による熱交換器の洗浄装置を備えた空気調和機は、図１（Ａ）および図１（Ｂ）と、図２（Ａ）および図２（Ｂ）とに示すように、吸込口１と吹出口２とを結ぶ空気通路に、吸込口１から吸い込まれた空気中に含まれている埃を捕捉するためのフィルタｆと、薄板状の金属（アルミ）を等間隔で空気の流れ方向に略平行に並べた多数のフィン３ａと、この多数のフィン３ａに直交する伝熱管３ｂとからなる熱交換器３と、送風ファン４とを備え、熱交換器３の下方にはドレンパン７を備えている。
【００１８】
吸込口１から吸い込まれた空気は、多数のフィン３ａと伝熱管３ｂとからなる熱交換器３に向かって流れ、この熱交換器３で伝熱管３ｂを流れる冷媒と熱交換されたのち、送風ファン４を経て吹出口２に送出され、吹出口２から被空調室に吹き出される。
【００１９】
吸込口１から吸い込まれた空気中に含まれている埃は、その大半がフィルタｆによって捕捉されることになるが、フィルタｆで捕捉しきれなかった微細な埃は、熱交換器３のフィン３ａの風上側からその表面に汚れとして付着することになる。
【００２０】
熱交換器３のフィン３ａの表面に付着した埃が堆積することで、熱交換器３への通風が妨げられて熱交換効率が低下したり、堆積した埃に触れることで汚れた空気が、吹出口２から被空調室に吹き出されてしまう恐れがある。
【００２１】
汚れとして熱交換器３のフィン３ａに付着した埃の一部は、冷房運転時や除湿運転時には熱交換器３の表面に生じる結露水と一緒に熱交換器３の下方に備えたドレンパン７に流れ落ちることになり、このドレンパン７から、図示しないドレンホースによって外部に排出されることになる。
【００２２】
その際、埃が付着しやすい多数のフィン３ａの風上側のエッジ部には結露水が充分に流れないので、該箇所に付着した埃は結露水と一緒に洗い流すことができにくいため、熱交換器３のフィン３ａの上端部に対し、その風上側から洗浄液を流出する流出孔５ａを有する洗浄液ダクト５を備えている。
【００２３】
洗浄液ダクト５は、洗浄液を流出する複数の流出孔５ａを有して熱交換器３の幅方向に沿うように設けられており、これによって、複数の流出孔５ａから熱交換器３のフィン３ａの上端部に対し、その全幅にわたって洗浄液を均等に流出できる構成にしている。
【００２４】
これにより、熱交換器３の上端部を構成する多数のフィン３ａの風上側のエッジ部に流出した洗浄液は、多数のフィン３ａの風上側のエッジ部を含む表面全域に行き渡るように拡散しながら流下することになる。
【００２５】
洗浄液は、例えば、オゾン水のような除菌や脱臭などに高い効果を有する機能水を用いることで、熱交換器３のフィン３ａの表面に付着した埃を分解・剥離して洗い流し、熱交換器３のフィン３ａの表面全域を清潔にして、熱交換器３で熱交換された綺麗な調和空気を送風ファン４を経て吹出口２に送出し、吹出口２から被空調室に吹き出せるようになる。
【００２６】
または、洗浄液としてオゾン水の他に、電解水あるいは抗菌剤を溶解させた薬液等のような機能水を用いることで、熱交換器３のフィン３ａの表面に付着した埃を分解・剥離して洗い流すようにしてもよい。
【００２７】
その際、熱交換器３のフィン３ａの下流側には、熱交換器３の通過時に除菌・脱臭され熱交換された綺麗な空気が流れるようになることから、送風ファン４や吹出口２に到る空気通路の壁面などを汚すことがなく、快適な空気調和を実現できる。
【００２８】
また、洗浄液ダクト５には、熱交換器３に対向して、洗浄液ダクト５の長手方向に沿うように多数の誘導部材６を備えており、複数の流出孔５ａから流出した洗浄液は多数の誘導部材６でフィン３ａに誘導されることによって、洗浄液が飛散してしまうことがなく、熱交換器３のフィン３ａの風上側の表面に円滑に誘導されるようになる。
【００２９】
誘導部材６は、例えば、柔軟性を有する多数の紐状の部材もしくは多数のブラシ状の部材などであって、図２（Ｂ）に示すように、複数の流出孔５ａの近傍に基端部が植設されるとともに、先端部が熱交換器３のフィン３ａに接触するように構成されており、これによって、洗浄液ダクト５と熱交換器３とに多少の位置ズレが生じたとしても、複数の流出孔５ａから流出した洗浄液は、誘導部材６の先端部が接触している熱交換器３のフィン３ａの風上側に正確に誘導されるようになる。
【００３０】
これにより、複数の流出孔５ａから流出した洗浄液は飛散することなく円滑に、かつ万遍なく熱交換器３のフィン３ａの上端部全域に誘導され、熱交換器３のフィン３ａの表面全域に拡散しながら流下して付着している埃を洗い流し、ドレンパン７に流入したのち図示しないドレンホースで外部に排出されることになる。
【００３１】
なお、誘導部材６の先端部は、必ずしも熱交換器３のフィン３ａに接触するように構成されるのではなく、熱交換器３のフィン３ａの上端部表面（フィン３ａの風上側のエッジ部）に近接させた構成にすることで、複数の流出孔５ａから流出した洗浄液を熱交換器３のフィン３ａの上端部全域に誘導できるようにしてもよい。
【００３２】
その際、熱交換器３を構成する多数のフィン３ａは、例えば、風上側の５ミリメートル程度の範囲まで親水性をそれ以外の部分よりも高めに設定しておくことで、熱交換器３のフィン３ａの上端部に万遍なく誘導された洗浄液を熱交換器３のフィン３ａの表面全域に拡散させながら流下させることができるようになり、表面に汚れとして付着している埃の下に水の膜が入り込み、埃を浮かして洗い流す効果を発現できるようになる。
【００３３】
複数の噴出孔５ａから流出される洗浄液の流出量は、吸込口１から吸い込まれた空気中に含まれる埃の量、風量、湿度あるいは熱交換器３の大きさなどに対応して、図示はしないが、洗浄液ダクト５（の根元）に設けられた出水弁を開閉することによって調整できるようにしてもよい。
【００３４】
また、熱交換器３のフィン３ａは、例えば、光触媒（二酸化チタン）からなる触媒を表面に担持するとともに、光触媒（二酸化チタン）に紫外線を照射する光源を設置することで、熱交換器３のフィン３ａの表面に汚れとして付着している埃を更に効果的に分解できるようにしてもよい。
【００３５】
光触媒（二酸化チタン）からなる触媒の活性エネルギ源としては、紫外線が照射されることに限らず、例えば、洗浄液として用いられるオゾン水も活性のためのエネルギ源になることから、熱交換器３のフィン３ａの表面に汚れとして付着している埃は更に効果的に分解できるようになる。
【００３６】
以上説明したように、本発明の構成によれば、熱交換器３の風上側となるフィン３ａの上端部に洗浄液を流出する洗浄液ダクト５を備え、この洗浄液ダクト５の流出孔５ａの近傍に、先端部が熱交換器３のフィン３ａに洗浄液を誘導する多数の誘導部材６を備えたので、洗浄液を飛散させることなく熱交換器３のフィン３ａの上端部に誘導できるようになる。
【００３７】
これにより、熱交換器３のフィン３ａの表面全域に行き渡らせた洗浄液で、このフィン３ａに付着している埃を綺麗に洗い流せるようになる。
【符号の説明】
【００３８】
１  吸込口
２  吹出口
３  熱交換器
３ａ  フィン
３ｂ  伝熱管
４  送風ファン
５  洗浄液ダクト
５ａ  噴出孔
６  誘導部材
７  ドレンパン
ｆ  フィルタ
【図１】
2010270959.tif 000003
【図２】
2010270959.tif 000004
【図３】
2010270959.tif 000005